(57)【要約】      （修正有）【課題】  安価に製作でき、持ち歩くときには、多数のアンテナを重合状にして小嵩コンパクトな姿にでき、表面は広くなって、広報活動に活用できるループアンテナを提供する。【解決手段】多数の絶縁材製の線状材６を、間隔７ａを隔てて並設して形成された支持体５には、棒状の握り柄１５を連結し、支持体５の外周には、線状の導電材をループ状にしたエレメント２０を一体状に備えさせ、支持体５の一面には、上記線状材６相互を連結するようシート２６を貼り付け、ループ状のエレメント２０の給電部２１には、整合器２９を介して、上記握り柄１５に対して一体状に備え付けてあるケーブル３１が接続してある。【選択図】図１
0003167447.tif 000002
【実用新案登録請求の範囲】
【請求項１】
アンテナ主体部は、
平面上に多数の絶縁材製の線状材を、相互間に適当な間隔を隔てて並設し、かつ、外周は円弧状に成形された薄板状の支持体を備え、
その支持体の外周には、上記支持体を移動操作するための棒状の握り柄を連結し、
さらに、その支持体の外周には、外周に沿わせて線状の導電材をループ状にしたエレメントを、エレメントの給電部が上記握り柄の連結部近くに位置する状態で一体状に備えさせ、
さらに、上記支持体の少なくても一面には、上記多数の絶縁材製の線状材相互を連結するようシートを貼り付けて構成してあり、
さらに、上記ループ状のエレメントの給電部には、上記握り柄に対して一体状に備え付けてあるケーブルが接続してあることを特徴とする地上デジタル放送受信用ループアンテナ。
【請求項２】
アンテナ主体部は、
平面上に多数の絶縁材製の線状材を、相互間に適当な間隔を隔てて並設し、かつ、外周は円弧状に成形された薄板状の支持体を備え、
その支持体の外周には、上記支持体を移動操作するための棒状の握り柄を連結し、
さらに、その支持体の外周には、外周に沿わせて線状の導電材をループ状にしたエレメントを、エレメントの給電部が上記握り柄の連結部近くに位置する状態で一体状に備えさせ、
さらに、上記支持体の少なくても一面には、上記多数の絶縁材製の線状材相互を連結するようシートを貼り付けて構成してあり、
さらに、上記ループ状のエレメントの給電部には、整合器を介して、上記握り柄に対して一体状に備え付けてあるケーブルが接続してあることを特徴とする地上デジタル放送受信用ループアンテナ。
【請求項３】
アンテナ主体部は、
平面上に多数の絶縁材製の線状材を、相互間に適当な間隔を隔てて並設し、かつ、外周は円弧状に成形された薄板状の支持体を備え、
その支持体の外周の内の一部には、上記支持体を移動操作するための棒状の握り柄を連結し、
さらに、上記支持体の少なくても一面には、上記多数の絶縁材製の線状材相互を連結するようにシートを貼り付けてあり、しかも、
上記支持体に貼り付けてある上記シートの一面には、導電性のある線状材を該シートに対してループ状に添着して形成したエレメントと、エレメントの両側に接続される整合回路であって、導電性のある線状材を該シートに対して添着して形成してある整合回路とが配置してあって、
上記支持体の一面に対する上記エレメントと、整合回路との位置関係は、上記エレメントが支持体の外周に沿う状態で、かつ、整合回路が上記握り柄の連結部近くに位置する状態で一体状に構成してあり、
さらに、上記整合回路には、上記握り柄に対して一体状に装着してあるケーブルが接続してあることを特徴とする地上デジタル放送受信用ループアンテナ。
【請求項４】
上記整合器は、 握り柄において、握り柄の自由端側に手で握る操作部を余す状態で、支持体の側に寄せた位置に固着してあることを特徴とする請求項２記載の地上デジタル放送受信用ループアンテナ。 
【考案の詳細な説明】
【技術分野】
【０００１】
本考案は、地上デジタル放送の周知広報活動にあたって持ち歩き易いように構成されている地上デジタル放送受信用ループアンテナに関する。
【背景技術】
【０００２】
従来より広く知られている地上デジタル放送受信用ループアンテナとしては、例えば特許文献１に示されるような構成の地上デジタル放送受信用ループアンテナが知られている。
上記特許文献１に示される地上デジタル放送受信用ループアンテナは、その記載に基づけば、次のように構成されている。
ループアンテナは、透明若しくは半透明の合成樹脂にて角部のない（円弧状）の四角形に形成された基板を造り、この基板の外周端縁に連続的に形成された溝部にアンテナ線を埋設することにより、平板状に形成したループアンテナを構成している。
また、本体ケースは、卓上に安定した状態で載置できるように合成樹脂製で箱状に形成してある。
上記ループアンテナは、合成樹脂製の軸受カバーを介して、本体ケースの上面に角度調整可能に固定されている。
【先行技術文献】
【特許文献】
【０００３】
【特許文献１】特開２００９−２４６７８４公報
【考案の概要】
【考案が解決しようとする課題】
【０００４】
この従来の地上デジタル放送受信用ループアンテナは、卓上において安定した状態で利用できるように、合成樹脂製で箱状に形成してある本体ケースを備えるので、一つのアンテナ自体が嵩張り、かつ、あまり軽くないので、地上デジタル放送の周知広報活動にあたって多数のループアンテナを持ち歩く必要が生じた場合には、嵩張りの点からも、重量の点からも、不都合の点が多く、対応しがたい問題点があった。また、上記従来のアンテナは、その構成から明白なように、コストが高くなる構成なので、多量のアンテナを、気軽に頒布するには、予算面から問題があった。
【０００５】
本件出願の目的は、極めて安価に製作することができる地上デジタル放送受信用ループアンテナを提供しようとするものである。
他の目的は、多数のアンテナを重合状にして小嵩コンパクトな姿にして持ち歩くことのできる地上デジタル放送受信用ループアンテナを提供しようとするものである。
他の目的は、シートの表面が広くて、広報活動に活用できる地上デジタル放送受信用ループアンテナを提供しようとするものである。
他の目的は、極めて軽量に製作でき、アンテナの設置場所は、手近な壁面に画鋲等を用いて止め付けできる地上デジタル放送受信用ループアンテナを提供しようとするものである。
他の目的及び利点は図面及びそれに関連した以下の説明により容易に明らかになるであろう。
【課題を解決するための手段】
【０００６】
本考案における地上デジタル放送受信用ループアンテナ１のアンテナ主体部２は、平面上に多数の絶縁材製の線状材６を、相互間に適当な間隔７を隔てて並設し、かつ、外周は円弧状に成形された薄板状の支持体５を備え、その支持体５の外周には、上記支持体５を移動操作するための棒状の握り柄１５を連結し、さらに、その支持体５の外周には、外周に沿わせて線状の導電材をループ状にしたエレメント２０を、エレメントの給電部２１が上記握り柄１５の連結部１７近くに位置する状態で一体状に備えさせ、さらに、上記支持体５の少なくても一面5aには、上記多数の絶縁材製の線状材６相互を連結するようシート２６を貼り付けて構成してあり、さらに、上記ループ状のエレメント２０の給電部２１には、上記握り柄１５に対して一体状に備え付けてあるケーブル３１が接続してあるものである。
【０００７】
また好ましくは、アンテナ主体部２は、平面上に多数の絶縁材製の線状材６を、相互間に適当な間隔７を隔てて並設し、かつ、外周は円弧状に成形された薄板状の支持体５を備え、その支持体５の外周には、上記支持体５を移動操作するための棒状の握り柄１５を連結し、さらに、その支持体５の外周には、外周に沿わせて線状の導電材をループ状にしたエレメント２０を、エレメントの給電部２１が上記握り柄１５の連結部１７近くに位置する状態で一体状に備えさせ、さらに、上記支持体５の少なくても一面5aには、上記多数の絶縁材製の線状材６相互を連結するようシート２６を貼り付けて構成してあり、さらに、上記ループ状のエレメント２０の給電部２１には、整合器２９を介して、上記握り柄１５に対して一体状に備え付けてあるケーブル３１が接続してあるものであればよい。
【０００８】
また好ましくは、アンテナ主体部２は、平面上に多数の絶縁材製の線状材６を、相互間に適当な間隔７を隔てて並設し、かつ、外周は円弧状に成形された薄板状の支持体５を備え、その支持体５の外周の内の一部には、上記支持体５を移動操作するための棒状の握り柄１５を連結１７し、さらに、上記支持体５の少なくても一面5aには、上記多数の絶縁材製の線状材６相互を連結するようにシート２６を貼り付けてあり、しかも、上記支持体５に貼り付けてある上記シート２６の一面には、導電性のある線状材を該シート２６に対してループ状に添着して形成したエレメント20と、エレメント20の両側に接続される整合回路29aであって、導電性のある線状材を該シート２６に対して添着して形成してある整合回路29aとが配置してあって、上記支持体５の一面5aに対する上記エレメント20と、整合回路29aとの位置関係は、上記エレメント20が支持体５の外周に沿う状態で、かつ、整合回路29aが上記握り柄１５の連結部１７近くに位置する状態で一体状に構成してあり、  さらに、上記整合回路29aには、上記握り柄１５に対して一体状に装着してあるケーブル３１が接続してあるものであればよい。
【０００９】
また好ましくは、上記整合器２９は、 握り柄１５において、握り柄１５の自由端側に手で握る操作部１６を余す状態で、支持体５の側に寄せた位置に固着してあるものであればよい。
【考案の効果】
【００１０】
以上のように本考案のループアンテナ１にあっては、ループ状のエレメント２０の給電部２１には、ケーブル３１が接続してあるので、地デジ対応テレビ受像機３５は所有するが地デジの受信をしていない家庭に対しては、テレビ受像機３５に本考案のループアンテナ１を接続して、地上デジタル放送を受信し、直ちに放送内容を楽しんで頂くことができ、手軽に地デジの広報活動を行うことができる効果がある。
【００１１】
さらに本考案の構成にあっては、主体部２は、多数の線状材を並設して平面的なベースを造り、それに棒状の握り柄１５を連結し、線材を曲げて形成したエレメント２０を一体化するという、極めて簡素な材料を寄せ集めて製作できる構成であり、極めて安価に製作することができ、少ない予算でもって、多くの家庭に対して地デジの広報活動を行うことのできる効果がある
【００１２】
さらに本考案のアンテナにあっては、図面からも理解できるように、全体的に嵩張りが少なく、平面的に構成されるので、多数のアンテナを用意して多方面に存在する多数の家庭に対して次々と訪問して広報活動を行う場合、多数のアンテナを重合状にして手提げ袋に入れる等、小嵩コンパクトな姿にして持ち歩くことのできる特長があり、効率高く広報活動を進めることのできる効果がある。
【００１３】
さらに本考案のアンテナにあっては、図面からも理解できるように、ループ状のエレメントで囲まれる範囲で、多数の線状材が間隔を隔てて並設されている空間は、全体比率から極めて広く、大きい特長がある。
従って、上記のシート２６の表面は、絶好の広告媒体となり、広報活動に活用できる効果がある。
【００１４】
さらに本考案のアンテナにあっては、構成から容易に理解できるように、極めて軽量に製作できる特長がある。
従って、各家庭において、テレビ受像機３５に本考案のループアンテナ１を接続して、地上デジタル放送を受信する場合、アンテナの設置場所は、手近な壁面に画鋲等を用いて止め付けすることもできるし、カーテンにクリップで挟み付けて止め付けすること等もできる便利性がある。
【図面の簡単な説明】
【００１５】
【図１】ループアンテナの正面図。
【図２】図１のII−II線断面図。
【図３】分解斜視図。
【図４】使用状態を示す斜視図。
【図５】ループアンテナの給電部に同軸ケーブルを接続する異なる例を示す１部分平面図。
【図６】（Ａ）はシートに対して添着されているエレメントと、エレメントの両側に接続された整合回路との位置関係を説明するための平面図。（Ｂ）は（Ａ）における矢印Ｂで示す部分の拡大図。
【図７】ループアンテナの水平指向特性図。
【考案を実施するための形態】
【００１６】
以下本考案の実施の形態を図面を用いて説明する。図１は、地上デジタル放送受信用ループアンテナ１の正面図を示す。この図１には、板状の支持体５と、棒状の握り柄１５と、エレメント２０と、シート２６とを備えるアンテナ主体部２が表れており、また、整合器２９とケーブル３１も表れている。図２は、図１のIIーII線断面図で、板状の支持体５と、棒状の握り柄１５と、エレメント２０と、シート２６との相互の関連を説明するための図面である。図３は、図１に表れていない部材、及び部材相互間の具体例を説明するための分解斜視図である。図４は、地デジ対応テレビ受像機３５に対して、壁３４に仮止めしてある上記ループアンテナ１を接続して、受像可能な状態にした例を説明するための図である。
【００１７】
図に表れているように、地上デジタル放送受信用ループアンテナ１のアンテナ主体部２は、板状の支持体５と、棒状の握り柄１５と、エレメント２０と、シート２６とを備えている。高周波的には、エレメント２０と、エレメント２０のループ形状を保持する為の支持体５とで受信部３を構成している。
【００１８】
板状の支持体５は、平面上に多数の絶縁材製（例えば天然の竹材、或いは合成樹脂材製）の細い線状材６、６・・６を、相互間に適当な間隔７、７・・・７を隔てて並設して構成されている。細い線状材６の太さとしては、周囲のエレメント２０の形状を保持することができればよく、周知の団扇の骨に用いられている線状材と同じ程度であればよい。また、線状材６の相互間の間隔７も、エレメント２０の形状保持が可能であれば、周知の団扇の場合と同程度、乃至はそれより広い間隔で有ればよい。
８は、細い線状材６、６・・６の各自由端6bを囲むように、角部のない状態（円弧状）に配置された周縁材で、外周の形状を規制している。この外周の直径は２０cm前後で良い。またこの周縁材８の内側には細い線状材の自由端6bが接合されている。なお、この周縁材８は、エレメント２０の配置と、上記細い線状材６の自由端6bとの連結の状況によってはなくても良い。
上記細い線状材６の配置は、周知の団扇の場合と同様に、１カ所（図３の符号１７の場所）に元部6a、6a・・・6aを集合させ、そこから放射状に配置したものであっても良い。９は、多数の線状材６、６・・６相互を連結させて丈夫にするための中間補強用線状材の存在示すものである。１０は軽快感（透視可能窓）を醸し出す為の空間である。
【００１９】
１５は、棒状の握り柄を示し、支持体５の外周の内の一部で丈夫になっている場所（例えば図３の符号１７の場所）に連結してある。この握り柄１５は、手で握り易くなるように細く形成してあり、ここを手で握ることにより、支持体５（エレメント２０）を自由な方向に向ける操作ができるように操作部の役割を持っている。この握り柄１５は、上記支持体５を、色々な場所に移動する場合、或いは色々な向きに変える場合、その操作を手軽にするためのものであり、手で握り易い太さ（例えば９mm前後の太さ）と、適当な長さにしてある。また、操作部１６としての握り柄１５が有ることにより、操作用の手を自然に支持体５（エレメント２０）から離れた位置に導く効果がある。                      
【００２０】
２０は、支持体５の外周に沿わせる状態で配置してあるエレメントで、線状の導体を用いてループ状に曲げ形成してある。エレメントの両端間の長さは、周知のように６０cm位の寸法にしてある。エレメント２０と支持体５の外周との連結は、両者の一体性が得られるように、任意の手段、例えば接着剤で接着する等すればよい。このように構成された受信部３の厚みは極めて薄く、例えば３mm前後に形成できる。上記エレメント２０の給電部２１は、図に表れているように、上記握り柄１５の連結部１７の近くに位置する状態で一体状に備えさせてある整合器２９に対して接続してある。
【００２１】
さらに、上記支持体５の両面5a、5bには（少なくても一面5aには）、上記多数の絶縁材製の線状材６相互を連結するようにシート26a、26b（周知の団扇に用いられている紙、布、合成樹脂製のシート）が貼り付けてある。この絶縁材製のシート26a、26bは広告媒体としては極めて広い面を備え、有効な表示面積を有するので地デジの広報活動に関連する事項を数多く記載し、表示する（例えば図１に表れているように表示する）ことができる。
【００２２】
さらに、上記インピーダンス変換用の整合器２９は、連結部１７よりも窓１０に寄せ、線状材６に対して一体状に装着してある。この位置は、握り柄１５を手で握るときに、整合器２９の厚み（図２の左右方向の厚み：7mm前後）の存在により、整合器２９が邪魔になり、手が、受信部３に近寄らないようになる利点がある。
なお、整合器２９は、握り柄１５において、連結部１７の近くの位置（矢印15bの位置）で、握り柄１５の自由端側に充分な長さの操作部１６ができる状態で、任意の固着手段（接着剤）で固着しても良い。このように構成すると操作部１６を手で握るときに、手が整合器２９の存在により受信部３により近寄らないようになる。
【００２３】
この整合器２９には周知のように、例えば整合トランスが内蔵されており、かつ、ケーブル３１（ケーブル３１の太さは、持ち歩きの点から細いのがよいが、例えば 1.5C-2vであればよい）が接続される。ケーブル３１における握り柄１５に沿わせる部分は、図２に表れているように任意の材料、例えば紙テープ等の包囲部材15aで手触りよく包囲一体化されている。さらにケーブル３１の自由端には周知のようにテレビ受像機に接続するためのプラグ３２が備えられる。ケーブル３１の全体の長さとしては、１ｍ〜２ｍ等、任意の長さであればよい。
【００２４】
上記構成のループアンテナ１の製作は、図３に表れているように支持体５と、握り柄１５とを合成樹脂材料又は天然の竹材料を用いて造る。これらの製法は、周知の団扇を作成する方法を利用すると良い。次に、支持体５の外周に、周知のような導電性のある線材（0.5〜1.0mm程度の導体）をループ状に曲げて形成したエレメント２０を、任意の接着剤を用いて添え付け状態で備えさせる。上記エレメント２０の両側の自由端における給電部２１には整合器２９を接続する。上記整合器２９は図示の状態で支持体５に固着しておく。さらに、上記支持体５の両面5a、5bには、夫々上記多数の線状材６相互を連結するよう、周知の団扇を作成する場合と同様にシート２６を貼り付けて構成する。上記整合器２９には前述のように同軸ケーブル３１を接続する。
【００２５】
次に、図１〜図３に表れているループアンテナ１とは、ループアンテナ１の給電部２１に同軸ケーブル３１を接続する場合の異なる例を示す１部分平面図（図５）について説明する。図５において、２０は前述したループアンテナ１のエレメント、２１は前述した給電部、８は前述した周縁材、１６は前述した握り柄における操作部、３１は前述した同軸ケーブルを夫々示す。ループアンテナの給電部２１に対する同軸ケーブル３１の接続は、同軸ケーブル３１の中心導体31aを一方のエレメント２０の端部21a（端子部）に対して図示のように接続し、同軸ケーブル３１の外部導体31bを他方のエレメント２０の端部21b（端子部）に対して図示のように接続する。
このように構成することにより、上記エレメント２０を構成要件とするループアンテナ１で受信した地上デジタル放送の受信信号を図４の如く地デジ対応ＴＶ受像機３５に送り、地上デジタル放送を受像する。
なお、ループアンテナと同軸ケーブルの接続部分２１において、インピーダンスを補正したい場合は、必要に応じて、端部21a（端子部）と、端部21b（端子部）との間に数PF（例えば1.5 PF）のコンデンサーを並列接続してもよい。
【００２６】
上記説明においては、支持体５の外周にループ状に曲げて形成したエレメント２０を、添え付ける例を説明したが、次のようにしても良い。即ち、      
上記支持体５よりも大きい外形（余分な部分は仕上げのときに除去する）のシート２６の一面に対して、図５（Ａ）のように、予め、導電性のある線状材を該シート２６に対してループ状に添着一体化してエレメント20（例えば厚さ１〜30ミクロン、幅は 0.7〜1.5 mm）を形成する。この形成手段は、周知のプリント基板の形成手段、及びフレキシブル配線基板の形成手段に準じて形成すればよい。また、エレメント20の両側の給電部21、21に接続される整合器２９（整合回路29a）についても、上記エレメント20の場合と同様に、導電性のある線状材29dを備えるパターンを該シート２６に対して周知のプリント基板の形成手段等を利用して添着一体化して形成すればよい。
上記支持体５の一面5aに対する上記エレメント20と、整合回路29aとの配置の関係は、図３に表れているように、上記エレメント20が支持体５の外周に沿う状態で、かつ、整合回路29aが上記握り柄１５の連結部１７近くに位置する状態に、上記エレメント20、整合回路29aを備える柔軟性のあるシート２６を添着すればよい。
握り柄１５に添え付け一体化させる同軸ケーブル31の先部は、中心導体31aを端子21aに、外部導体31bを端子21bに夫々接続すればよい。
なお図５に表れている整合回路29aは一例を示すものであり、端子21a、端子21bに夫々接続される同軸ケーブルなどの導体の種類等、高周波的な条件によって適当な回路構成にすればよい。
斯かる構成であれば、量産に際し、支持体５の一面5aに対するエレメント20と、整合回路29aとの位置関係は、正確になり、支持体５とエレメント20との一体性も確かなものとなり、早く、安く、生産性高くできる。
【００２７】
上記構成のループアンテナ１の使用状態を説明する。地上デジタル放送の周知広報活動にあたっては、地上デジタル放送の受信がいまだできていない家庭を対象に、専門スタッフが訪問し、地デジの受信方法や必要な機材等の地上デジタル放送に関する相談に応じます。その場合、専門スタッフは図１に表れているループアンテナ１をもってお伺い致し、図４の如く地デジ対応ＴＶ受像機３５に（地デジ対応ＴＶ受像機がない場合は、都合によっては携帯可能なＴＶ受像機を持参）ループアンテナ１のプラグ３２（他の任意の接続器）を接続し、地上デジタル放送の受信ができることを実証する。
【００２８】
このときの受信行動に際しては、放送波には水平、或いは垂直偏波等があり、また、送信塔の方向、高さ、電界強度等の受信条件も各家庭で夫々異なることを念頭に置いて行う。上記ループアンテナ１の受信部３は、図６に表れているような水平指向特性を備え、上記受信条件に対応できる構成にしてあるので、上記専門スタッフは、ループアンテナ１の操作部１６を手で握り、主体部２を垂直にしたり、横向きにしたり、水平にしたり、或いは高く持ち上げたり、低くしたりして、上記の受信部３を「ひらひら」と手軽に操作して、上記放送波の性質に最適な受信条件の場所を選択して、良好な受信状態をＴＶ受像機３５を通して受信者に見せる。
【００２９】
なお、ループアンテナ１の受信場所が決まると、その場所近くに固定する。ループアンテナ１は極めて軽量であるので、固定手段としては、相手が壁面であれば画鋲等で、カーテンであればクリップで、ガラス窓等であれば両面又は片面の接着テープで、カーテンレールや、ドアノブであれば操作部１６を引っ掛ける等して暫定的に固定できる。
上記ループアンテナ１は安価に製作でき、広告媒体として利用し易く、地デジの広報活動の一環として受信者に配布することで、地デジの受信状況を手軽に体験して頂くことも可能になる。
【符号の説明】
【００３０】
１・・・ループアンテナ、２・・・主体部、３・・・受信部、５・・・支持体、５a・・・一面、５ｂ・・・他面、６・・・線状材、６a・・・元部、６b・・・先部、７・・・間隙、８・・・周縁、９・・・中間線状材、１５・・・握り柄、15a・・・包囲部材、１６・・・操作部、１７・・・連結部、２０・・・エレメント、２１・・・給電部、２６a・・・シート（一方）、２６b・・・シート（他方）、２７・・・表面、２９・・・整合器、29a・・・整合回路、３１・・・同軸ケーブル、３２・・・プラグ、３４・・・壁、３５・・・ＴＶ受像機
【図１】
0003167447.tif 000003
【図２】
0003167447.tif 000004
【図３】
0003167447.tif 000005
【図４】
0003167447.tif 000006
【図５】
0003167447.tif 000007
【図６】
0003167447.tif 000008
【図７】
0003167447.tif 000009